(57)【要約】      （修正有）【課題】被取付部への取付作業上安全な表示装置を提供する。【解決手段】表示装置１の表示板部３の裏面に取付けたスライドチャンネル４の両端部がその端縁に向かうに従い高さが低くなるように傾斜されて形成されるため、又は、スライドチャンネル４の両端部にカバー材が取付けられているため、若しくはスライドチャンネル４の両端部に封止材が付着されているため、表示装置１の取付作業時に作業者が手等をぶつけた場合にも、怪我を防ぐことができる。【選択図】図１
2007132101.tif 000002
【特許請求の範囲】
【請求項１】
横梁や支柱等の被取付部に表示板部が取付けられ、前記表示板部は、裏面の上下又は左右方向にスライドチャンネルが設けられると共にこのスライドチャンネルに形成された蟻溝状の取付溝に取付ボルトの頭部が摺動可能に挿入され、該取付ボルトにより取付金具を介して被取付部に取付けられ、且つ前記スライドチャンネルはその両端部をその端縁に向かうに従い高さが低くなるように傾斜させたことを特徴とする表示装置。
【請求項２】
横梁や支柱等の被取付部に表示板部が取付けられ、前記表示板部は、裏面の上下又は左右方向にスライドチャンネルが設けられると共にこのスライドチャンネルに形成された蟻溝状の取付溝に取付ボルトの頭部が摺動可能に挿入され、該取付ボルトにより取付金具を介して被取付部に取付けられ、且つ前記スライドチャンネルの両端部に端面を覆うカバー材を取付けたことを特徴とする表示装置。
【請求項３】
横梁や支柱等の被取付部に表示板部が取付けられ、前記表示板部は、裏面の上下又は左右方向にスライドチャンネルが設けられると共にこのスライドチャンネルに形成された蟻溝状の取付溝に取付ボルトの頭部が摺動可能に挿入され、該取付ボルトにより取付金具を介して被取付部に取付けられ、且つ前記スライドチャンネルの両端部に端面を覆う封止材を付着させたことを特徴とする表示装置。
【発明の詳細な説明】
【技術分野】
【０００１】
本発明は、道路等に設置された道路標識や案内表示等の表示装置に関するものである。
【背景技術】
【０００２】
道路標識や案内表示等の表示装置は、道路利用者に対し情報を提供するものであり、従来、横梁や支柱等への表示板の取付構造として最もよく用いられてきているのは、例えば特許文献１に記載の如く、表示板の裏面側に左右方向に設けられたリブであるスライドチャンネルの蟻溝状の取付溝にＵバンドを摺動可能に取付け、このＵバンドにより支柱を挟み込んで固定し取付けるものであり、係る構造によれば表示板を上下左右任意の位置に取付けることが可能であり、また位置の微調整を行うことも容易である。
【０００３】
【特許文献１】実開平０６−７６４１３号公報
【発明の開示】
【発明が解決しようとする課題】
【０００４】
しかしながら、上述の如き取付構造に用いられるスライドチャンネルは、一般的には長尺品を所定の長さに長手方向に対して垂直に切断して作製されるため、スライドチャンネルの両端面は、表示板に対して直角となされ角部が形成されており、支柱に表示板を取付ける作業を行う際に、作業者がスライドチャンネルの角部に手等をぶつけて怪我をする危険があった。
【０００５】
そこで本発明は上記の如き問題点を解消し、作業上安全な表示装置を提供せんとするものである。
【課題を解決するための手段】
【０００６】
上記目的を達成するために、本発明は次のような構成としている。
すなわち、請求項１に記載の本発明に係る標示装置は、横梁や支柱等の被取付部に表示板部が取付けられ、前記表示板部は、裏面の上下又は左右方向にスライドチャンネルが設けられると共にこのスライドチャンネルに形成された蟻溝状の取付溝に取付ボルトの頭部が摺動可能に挿入され、該取付ボルトにより取付金具を介して被取付部に取付けられ、且つ前記スライドチャンネルはその両端部をその端縁に向かうに従い高さが低くなるように傾斜させたことを特徴とするものである。
【０００７】
また、請求項２に記載の本発明に係る標示装置は、横梁や支柱等の被取付部に表示板部が取付けられ、前記表示板部は、裏面の上下又は左右方向にスライドチャンネルが設けられると共にこのスライドチャンネルに形成された蟻溝状の取付溝に取付ボルトの頭部が摺動可能に挿入され、該取付ボルトにより取付金具を介して被取付部に取付けられ、且つ前記スライドチャンネルの両端部に端面を覆うカバー材を取付けたことを特徴とするものである。
【０００８】
また、請求項３に記載の本発明に係る標示装置は、横梁や支柱等の被取付部に表示板部が取付けられ、前記表示板部は、裏面の上下又は左右方向にスライドチャンネルが設けられると共にこのスライドチャンネルに形成された蟻溝状の取付溝に取付ボルトの頭部が摺動可能に挿入され、該取付ボルトにより取付金具を介して被取付部に取付けられ、且つ前記スライドチャンネルの両端部に端面を覆う封止材を付着させたことを特徴とするものである。
【発明の効果】
【０００９】
請求項１に記載の本発明によれば、スライドチャンネルの両端部が傾斜されて形成されるため、取付作業時に作業者が手等をぶつけた場合にも、怪我を防ぐことができる。
【００１０】
請求項２に記載の本発明によれば、スライドチャンネルの両端部にカバー材が取付けられているので、怪我を防ぐことができると共に、長尺品のスライドチャンネルを垂直に切断するだけで所望の長さのスライドチャンネルを製作することができるため、効率よく製作することができる。
【００１１】
請求項３に記載の本発明によれば、スライドチャンネルの両端部に封止材が付着されているので、怪我を防ぐことができると共に、長尺品のスライドチャンネルを垂直に切断するだけで所望の長さのスライドチャンネルを製作することができるため、効率よく製作することができる。
【発明を実施するための最良の形態】
【００１２】
本発明に係る実施の形態について、図面に基づき以下に具体的に説明する。
すなわち、図１は請求項１に記載の本発明に係る表示装置の実施の一形態を示す背面図であり、図２（イ）は図１のスライドチャンネルを示す正面図、（ロ）は平面図、（ハ）は側面図であり、図３は請求項２に記載の本発明に係る表示装置の実施の一形態を示す背面図であり、図４（イ）は図３のスライドチャンネルを示す正面図、（ロ）は平面図、（ハ）は側面図であり、図５は図３におけるスライドチャンネルとカバー材の説明図であり、図６は請求項３に記載の本発明に係る表示装置の実施の一形態を示す背面図である。
【００１３】
図１において、１は道路等に設置される本発明に係る表示装置であって、地面に立設された支柱からなる被取付部２の上部に、表示板部３の裏面に左右方向に取付けられた２個のスライドチャンネル４を介して、表示板部３がＵバンド５により取付けられている。スライドチャンネル４は蟻溝状の取付溝４１を備え、表示板部３の裏面に適当な間隔をおいて溶接等により取付けられており、表示板部３は前記取付溝４１に頭部が摺動可能に挿入された取付ボルト６をＵバンド５の孔に挿通し、Ｕバンド５で被取付部２を挟着することにより固定されている。
【００１４】
また、前記取付溝４１を形成し両上端から内向きに突片４２が延設された一対の突条４３は、スライドチャンネル４の両端縁に向かうに従い高さが低くなるように傾斜して形成されている。スライドチャンネルの両端部が傾斜されて形成される角度αは、１２０°以上が好ましく、更に好ましくは１５０°以上である。かように形成することにより、スライドチャンネル４は角がおとされた形状になされているため、被取付部２への取付作業を行う際に、作業者が手等をぶつけて怪我をするのを防ぐことができる。
【００１５】
表示板部３は、一般には軽量なアルミニウム合金で形成されており、その強度を補強するためと前記のように被取付部２へ取付けるために、表示板部３の裏面にスライドチャンネル４が取付けられており、スライドチャンネル４の材質も表示板部３と同様、一般にはアルミニウム合金であり、押出成型により製作される。
【００１６】
図３に示される形態も、スライドチャンネル４を備えた本発明に係る表示装置であって、図１に示す形態との差異は、スライドチャンネル４の両端部の形状と、その端面を覆うカバー材７が取付けられている点である。
【００１７】
この形態において、スライドチャンネル４は押出成型された長尺のものを垂直に切断して製作したものであるので、効率よく製作できるが、その端部に直角の角部４４が形成されているため、作業時の安全性を確保するために、その端面を覆うようにカバー材７を取付けている。
【００１８】
カバー材７は、作業者が手等をぶつけても怪我をすることがないよう、比較的柔軟な材料で形成されている。更には、屋外で使用されることから、耐候性のよい材料で形成されるのが好ましい。その材質としては、例えば、ポリエチレン、ＡＢＳ、ＡＳＡ、ポリカーボネート、アクリル樹脂といった熱可塑性合成樹脂やゴム等が好適に用いられる。
【００１９】
また、カバー材７の外形は少なくともスライドチャンネル４の端部を覆うと共に、取付けられた状態で尖った部分がない形状であれば、特に限定されるものでなく、要はスライドチャンネル４の端部が露出せず、且つカバー材７自体で作業者が怪我をしないような形状になされていればよい。
【００２０】
また、カバー材７の取付方法としては、カバー材７の内形を、スライドチャンネル４の取付溝４１の形状に対応したものとなし、カバー材７をスライドチャンネル４の端部に嵌着させて取付けてもよいし、接着剤や両面テープにより、カバー材７をスライドチャンネル４に貼着してもよい。
【００２１】
尚、この形態において、スライドチャンネル４は上述のように、押出成型された長尺のものを垂直に切断して形成されるのであるが、その切断後の端縁に面取り加工を施した場合には、カバー材７を取付けなくても、怪我防止の効果を発現させ得る。
【００２２】
次に図６に示される形態は、上記カバー材７の代わりに、スライドチャンネル４の両端部に封止材８を付着させて、その端部を覆うようにしたものであって、かような封止材８によっても、怪我を防ぐことができると共に、長尺品のスライドチャンネル４を垂直に切断するだけで所望の長さのスライドチャンネル４を製作することができるため、効率よく製作することができる。
【００２３】
尚、封止材８としては、例えば、シリコン系、ウレタン系、アクリル系のコーキング材が用いられてよい。
【産業上の利用可能性】
【００２４】
本発明に係る表示装置は、その両端部が傾斜され、又はカバー材が取付けられ、若しくは封止材が付着されているため、取付作業時に作業者が手等をぶつけた場合にも、怪我を防ぐことができ、安全に作業することができるスライドチャンネルを用いた表示装置として、好適に利用することができる。
【図面の簡単な説明】
【００２５】
【図１】請求項１に記載の本発明に係る表示装置の実施の一形態を示す背面図である。
【図２】（イ）は図１のスライドチャンネルを示す正面図、（ロ）は平面図、（ハ）は側面図である。
【図３】請求項２に記載の本発明に係る表示装置の実施の一形態を示す背面図である。
【図４】（イ）は図３のスライドチャンネルを示す正面図、（ロ）は平面図、（ハ）は側面図である。
【図５】図３におけるスライドチャンネルとカバー材の説明図である。
【図６】請求項３に記載の本発明に係る表示装置の実施の一形態を示す背面図である。
【符号の説明】
【００２６】
１      表示装置
２      被取付部
３      表示板部
４      スライドチャンネル
４１    取付溝
４２    突片
４３    突条
４４    角部
５      Ｕバンド
６      ボルト
７      カバー材
８      封止材
【図１】
2007132101.tif 000003
【図２】
2007132101.tif 000004
【図３】
2007132101.tif 000005
【図４】
2007132101.tif 000006
【図５】
2007132101.tif 000007
【図６】
2007132101.tif 000008